(57)【要約】      （修正有）【課題】複数の枠を備え、一番上の枠でない枠へＬＥＤ照明を取り付けた場合であっても、鴨居の溝に設置されるレールを介して供給される電源を、当該ＬＥＤ照明へ供給可能とするＬＥＤ照明付き引き戸を提供する。【解決手段】構造物を取り付け可能な複数の枠を備え、一番上の枠以外の枠にＬＥＤ照明２４が取り付けられたＬＥＤ照明付き引き戸を形成する。前記引き戸の上部に、電源供給がされるレール１１と接触可能な接触部２１と、前記接触部に接続される電源コード１２とを有し、前記ＬＥＤ照明が取り付けられた枠より上に配置される枠は、当該枠の外側に当該枠に取り付ける構造物を固定するための複数の第一の溝部と、当該第一の溝部の少なくとも一つの溝の外側に電源コードを通すための第二の溝部とを備える。前記電源コードは、前記第二の溝部を通して、前記取り付けられたＬＥＤ照明の電源部に接続される。【選択図】図１
0003170898.tif 000002
【実用新案登録請求の範囲】
【請求項１】
構造物を取り付け可能な複数の枠を備え、一番上の枠以外の枠にＬＥＤ照明が取り付けられたＬＥＤ照明付き引き戸であって、
前記引き戸の上部に、電源供給がされるレールと接触可能な接触部と、
前記接触部に接続される電源コードとを有し、
前記ＬＥＤ照明が取り付けられた枠より上に配置される枠は、当該枠の外側に当該枠に取り付ける構造物を固定するための複数の第一の溝部と、当該第一の溝部の少なくとも一つの溝の外側に電源コードを通すための第二の溝部とを備えるものであり、
前記電源コードは、前記第二の溝部を通して、前記取り付けられたＬＥＤ照明の電源部に接続されることを特徴とするＬＥＤ照明付き引き戸。
【請求項２】
前記第二の溝部は、前記接触部が前記引き戸の上部に配置される方向と同じ方向に備えられることを特徴とする請求項１に記載のＬＥＤ照明付き引き戸。
【考案の詳細な説明】
【技術分野】
【０００１】
ＬＥＤ照明を取り付け可能な引き戸に関する。
【背景技術】
【０００２】
ＬＥＤ照明は、蛍光灯や白熱電球といった従来型の照明器具と比較すると、（１）長寿命・高信頼性、（２）低消費電力・低発熱性、（３）耐衝撃性、（４）小型等の特徴を備えているため、これらの特徴を生かした様々な装飾用のＬＥＤ照明が提供されている。
【０００３】
しかしながら、現在、引き戸にＬＥＤ照明を使った装飾用の照明は提供されていない。これは、引き戸にＬＥＤ照明を使う場合、そのＬＥＤ照明に対して電源を供給する点が問題となるからである。
【０００４】
つまり、引き戸は、開け閉めされるものであるところ、引き戸に直接電源コードをつなげる構成をとると、実用上、引き戸を開け示した際にコードが邪魔になるからである。
【０００５】
特許文献１および特許文献２には、（１）鴨居のレールに電源供給用の導体を敷設する方法、（２）引き戸上部にバネ状の導体を設置して鴨居のレールから電源供給を受ける方法が開示されている。
【先行技術文献】
【特許文献】
【０００６】
【特許文献１】特開２００７−１４６５１３号公報
【特許文献２】特開平８−１７８５１０号公報
【考案の概要】
【考案が解決しようとする課題】
【０００７】
しかしながら、特許文献１および特許文献２に記載の技術では、引き戸に対して電源を供給する技術は開示されているが、引き戸の内部でどのようにして電源コードを配線するのかという点については、何らの開示も為されていない。
【０００８】
これは、特許文献１では、電子錠に対して電源供給することを、特許文献２では、低温ショーケースへ電源供給することを目的とするため、いずれも引き戸に装飾効果を高めることを目的としておらず、そもそも電源コードの配線方法について考慮する必要がないからである。
【０００９】
そのため、特許文献１および特許文献２に記載の技術では、例えば、引き戸が二つの枠を備え、上の枠に障子を、下の枠にＬＥＤ照明を取り付ける構成をとる場合、適切に電源コードを配線することができない。
【００１０】
そこで、本考案は、上記課題を解決するものであり、複数の枠を備え、一番上の枠でない枠へＬＥＤ照明を取り付けた場合であっても、鴨居の溝に設置されるレールを介して供給される電源を、当該ＬＥＤ照明へ供給可能とするＬＥＤ照明付き引き戸を提供することを目的とする。
【課題を解決するための手段】
【００１１】
本考案は、構造物を取り付け可能な複数の枠を備え、一番上の枠以外の枠にＬＥＤ照明が取り付けられたＬＥＤ照明付き引き戸であって、前記引き戸の上部に、電源供給がされるレールと接触可能な接触部と、前記接触部に接続される電源コードとを有し、前記ＬＥＤ照明が取り付けられた枠より上に配置される枠は、当該枠の外側に当該枠に取り付ける構造物を固定するための複数の第一の溝部と、当該第一の溝部の少なくとも一つの溝の外側に電源コードを通すための第二の溝部とを備えるものであり、前記電源コードは、前記第二の溝部を通して、前記取り付けられたＬＥＤ照明の電源部に接続されることを特徴とする。
【考案の効果】
【００１２】
本考案によれば、複数の枠を備え、一番上の枠でない枠へＬＥＤ照明を取り付けた場合であっても、鴨居の溝に設置されるレールを介して供給される電源を、当該ＬＥＤ照明へ供給可能とするＬＥＤ照明付き引き戸を提供することが可能となる。
【図面の簡単な説明】
【００１３】
【図１】本考案の実施の形態にかかる引き戸用の枠と引き戸とを示す図である。
【図２】本考案の実施の形態にかかる引き戸用の枠１の鴨居を内側から見上げた図である。
【図３】本考案の実施の形態にかかる引き戸２の上部の図である。
【考案を実施するための形態】
【００１４】
以下、図面を用いて説明をする。
【００１５】
図１は、本考案の実施の形態にかかる引き戸用の枠と引き戸とを示す図である。
【００１６】
１は、引き戸用の枠であり、２は、引き戸である。
【００１７】
まず、引き戸用の枠１は、引き戸を滑らせるための溝を備える鴨居に、電気を通電可能な導体から成るレール１１が設けられている。また、レール１１には、電源供給用の電源コード１２が接続されている。
【００１８】
図２は、引き戸用の枠１の鴨居を内側から見上げた図である。本考案の実施の形態においては、引き戸用枠１には、二つ引き戸２を取り付ける構成をとるため、それぞれの引き戸２に対して電源供給を可能とするため、プラス（マイナス）の電源を供給するレール１１ａとマイナス（プラス）の電源を供給するレール１１ｂとをそれぞれ備える構成となっている。
【００１９】
続いて、引き戸２は、上部に接触部２１と、接触部２１に接続される電源コード２２と、障子２３と、ＬＥＤ照明２４と、取っ手２５とを備える。
【００２０】
図３は、引き戸２の上部の図である。接触部２１は、レール１１から、プラス（マイナス）の電源供給を受ける接触部２１ａとマイナス（プラス）の電源供給を受ける接触部２１ｂとを備える。また、接触部２１を介して供給を受けた電源を、ＬＥＤ照明２４へ供給するための電源コード２２と接続されている。電源コード２２は、引き戸２の内部へ引き込む構成となっている。
【００２１】
また、障子２３は、引き戸２の溝部２３１へはめ込むことで引き戸２へ固定する構成となっている。また、ＬＥＤ照明２４は、引き戸２の溝部２４１へはめ込むことで引き戸２へ固定する構成となっている。
【００２２】
なお、本考案の実施の形態において、障子２３を例としているがこれに限られずガラス戸等、その他のパネルを採用してもよい。それらを構造物と称するものとする。
【００２３】
ＬＥＤ照明２４は、表面を紙、ガラス、プラスティック等の素材を用いてカバーされたものであり、内部に電源部２４２とＬＥＤ部２４３を備えている。電源部２４２は、外部電源から電源供給を受けるとＬＥＤ部２４３へ電源を供給する装置である。ＬＥＤ部２４３は、小型の点光源となる複数のＬＥＤを備え、電源供給を受けることにより発光する。
【００２４】
Ａは、ＬＥＤの光源の方向を示している。本考案の実施の形態において、光源は、一方向となっているが、高輝度のＬＥＤを用いることで、ＬＥＤ照明の表面全体が光っているように見える。より装飾効果を高める場合は、光源を両方向へ配置する、複数色のＬＥＤを用いる等、様々な構成をとることが可能である。
【００２５】
本考案の実施の形態において、引き戸は、上の枠へ障子２３を、下の枠へＬＥＤ照明をはめ込む構成となっている。そのため引き戸上部に配置される接触部２１に接続される電源コード２２の配線方法が問題となる。なお、この問題は、ＬＥＤ照明が一番上の枠にはめ込む構成とならない場合に共通に生じる問題である。
【００２６】
そのため、本考案の実施の形態において、障子２３を固定するための溝部２３１のさらに外側へ溝部２３２を設ける構成をとることで、この溝部２３２の内部へ電源コード２２を配線するようにしている。
【００２７】
このように、電源コード２２を溝部２３２の内部へ配線して電源部２４２へ接続する構成とすることで配線上の問題を解決している。
【００２８】
さらに、従来から備える溝部２３１の外部へ新たに溝部２３２を設ける構成であることから、加工が容易に行えるという効果がある。そのため、加工の手間が少なく済み、低価格でＬＥＤ照明を備える引き戸を提供できるようになる。
【００２９】
以上、説明した通り、本考案によれば、複数の枠を備え、一番上の枠でない枠へＬＥＤ照明を取り付けた場合であっても、鴨居の溝に設置されるレールを介して供給される電源を、当該ＬＥＤ照明へ供給可能とするＬＥＤ照明付き引き戸を提供することが可能となる。
【符号の説明】
【００３０】
１  引き戸用の枠
２  引き戸
１１  レール
１２  電源コード
２１  接触部
２２  電源コード
２３  障子
２４  ＬＥＤ照明
２５  取っ手
２３１  溝部
２３２  溝部
２４１  溝部
２４２  電源部
２４３  ＬＥＤ部
【図１】
0003170898.tif 000003
【図２】
0003170898.tif 000004
【図３】
0003170898.tif 000005